(57)【要約】      （修正有）【課題】洗濯物を物干し竿で干す時に直接竿にかけるのでなく、竿に洗濯物を懸架することを可能にする用具を提供する。  【解決手段】大型の洗濯バサミを竿バサミとして、該竿バサミに自由に動く形で洗濯バサミを取付ける。本竿バサミの竿バサミ部分で上向きに物干し竿を挟み、洗濯バサミ部分で洗濯物を挟むと日当たりがよく通風も良い形で洗濯物を懸架することができる。【選択図】図１
0003154191.tif 000002
【実用新案登録請求の範囲】
【請求項１】
上に向けて物干し竿を挟んだ時に下方に向けて懸垂される洗濯バサミを連結した竿バサミ。
【請求項２】
バネの背中部分と洗濯バサミのバネの背中部分とをリングで連結した請求項１の竿バサミ。
【請求項３】
両方の把持片の末端部分にそれぞれ洗濯バサミのバネの背中部分をリングで連結した請求項１の竿バサミ。
【考案の詳細な説明】
【技術分野】
【０００１】
本発明は洗濯物を竿にかけて干す時に用いる竿バサミに関するものである。
【背景技術】
【０００２】
従来洗濯物を干す時には洗濯物を竿にかけ、落下しないように洗濯バサミで固定していた。この方法では洗濯物が二つ折になるので日当たりが悪く、また通気もよくなかった。
【０００３】
ズボンを干す時にはズボンの片方の足を竿に通してかけていた。この方法ではズボンを竿に通すのに手間がかかり、またズボンが竿の長さを大きく占めるので、多数のズボンを同時にかけることができなかった。
【０００４】
靴下などの小さい洗濯物を干す時には多数の洗濯バサミを取付けたハンガーが用いられていた。この方法では多数の洗濯物を一度にかけることができるが、物干し竿の長軸に対し左右に張り出すので邪魔になりやすかった。また洗濯物の重量を前後左右に均等に配分しないとハンガーが傾くので、実際上使いにくかった。  
【０００５】
したがって大きな洗濯物を竿にかける時に二つ折りにしないでかけることができる用具が求められていた。またズボンを干す時に竿に通す手間を省く用具が求められていた。また小さな洗濯物を干す時に前後左右に不安定にならないで干すことができる用具が求められていた。
【０００６】
上記のような問題を解決するために物干し竿に洗濯バサミを取付けるいくつかの方法が提案されていた。
【先行技術文献】
【特許文献】
【０００７】
【特許文献１】実開平６−４１６８９号
【特許文献２】実用新案登録第３０６３５６２号
【特許文献３】特開２００５−４６５７９号
【特許文献４】特開２００８−１７８４４３号
【特許文献５】実用新案登録３１２０００４号
【考案の概要】
【考案が解決しようとする課題】
【０００８】
上記の特許文献1には竿に巻きつけたクリップに取付けた洗濯バサミが開示されているが実用性に乏しい。
【０００９】
特許文献２には斜め下方に開くフックの下端に固着されたハンガーにとりつけた洗濯バサミが開示されている。この方法ではフックを竿に挟む方向が斜め下方向に限定されるので不便である。またハンガーがフックに固着されているので洗濯物の揺れを受流す構造を欠く。したがって強い風でハンガーが破壊されるおそれがあり、実用性に乏しい。
【００１０】
特許文献３には竿に巻いた弾性コイルに取付けた洗濯バサミが開示されているが実用性に乏しい。
【００１１】
特許文献４には竿に通したループに取付けた洗濯バサミが開示されているが実用性に乏しい。
【００１２】
特許文献５にはバネ式キャッチハンガーに取付けた洗濯バサミが開示されているが、この方法では、かける洗濯物の重量配分を左右均等にする必要があり、また揺れを受流す構造がないので実用性に乏しい。
【００１３】
本発明は洗濯物を直接物干し竿にかけることなく懸架することができる用具を提供することを課題とする。またそれによって日光がよくあたり通風のよい洗濯物懸架方法を提供することを課題とする。
【課題を解決するための手段】
【００１４】
既存の大型の洗濯バサミを竿バサミとして利用し、この竿バサミに洗濯バサミを連結する。
【考案の効果】
【００１５】
本発明の竿バサミの竿バサミ部分で上向きに物干し竿を挟み、洗濯バサミ部分で洗濯物を挟むと日当たりがよく通風も良い形で洗濯物を懸架することができる。
【図面の簡単な説明】
【００１６】
【図１】は本発明の第１の方法で作成した竿バサミ１０の俯瞰図である。２０は竿バサミ部分、３０は洗濯バサミ部分、４０は竿バサミ部分２０のバネ２３の背中部分２４と洗濯バサミ部分３０のバネ３３の背中部分３４を連結するリングである。
【図２】は本発明の第２の方法で作成した竿バサミ５０の俯瞰図である。６０は竿バサミ部分、７０は洗濯バサミ部分、８０は竿バサミ部分の把持片６２と洗濯バサミ部分７０のバネ７３とを連結するリングである。
【図３】は本考案の第１の方法で作成した竿バサミを用いて洗濯物を物干し竿に懸架したところを示す。
【図４】は本考案の第２の方法で作成した竿バサミを用いて洗濯物を物干し竿に懸架したところを示す。
【考案を実施するための形態】
【００１７】
既存の大型の洗濯バサミを竿バサミとして利用し、この竿バサミに既存の洗濯バサミを連結する。連結する第１の方法は竿バサミ部分と洗濯バサミ部分のそれぞれのバネを互いに背中が向き合う方向になるようにリングで連結する方法である。また第２の方法は竿バサミ部分の把持片の末端に洗濯バサミ部分のバネの背中をリングで連結する方法である。
【実施例】
【００１８】
以下添付図面にしたがって一実施例を説明する。図１において１０は本発明の竿バサミの第１の形態である。２０は竿バサミ部分、２１は竿バサミ部分２０の挟み片、２２は把持片、２３はバネ、２４はバネ２３の背中部分、３０は洗濯バサミ部分、３１は洗濯バサミ部分３０の挟み片、３２は把持片、３３はバネ、３４はバネ３３の背中部分である。竿バサミ部分のバネ２３の背中部分２４と洗濯バサミ部分のバネ３３の背中部分３４はリング４０によって連結されている。竿バサミ１０においては竿バサミ部分２０と洗濯バサミ部分３０は同一方向に開閉され、洗濯バサミ部分３０は竿バサミ部分２０に対し自由に揺れることができる構造である。
【００１９】
図２において５０は本発明の竿バサミの第２の形態である。６０は竿バサミ部分、６１は竿バサミ部分６０の挟み片、６２は把持片、６３は把持片６２の末端に設けられた孔、６４はバネ、７０は洗濯バサミ部分、７３はバネ、７４はバネ７３の背中部分である。竿バサミ部分の把持片６２と洗濯バサミ部分のバネ７３の背中部分７４はリング８０によって連結されている。竿バサミ５０においては竿バサミ部分６０と洗濯バサミ部分７０は同一方向に開閉され、洗濯バサミ部分７０は竿バサミ部分６０に対し自由に揺れることができる構造である。
【００２０】
竿バサミ１０におけるおよび竿バサミ部分２０および竿バサミ５０における竿バサミ部分６０には既存の大型の洗濯バサミをあてることができる。
【００２１】
竿バサミ１０における洗濯バサミ部分３０および竿バサミ５０における洗濯バサミ部分７０には既存の洗濯バサミをあてることができる。
【００２２】
竿バサミ１０におけるリング４０および竿バサミ５０におけるリング８０には堅牢なものであればプラスチック、あるいは金属を用いてよい。
【００２３】
本発明の竿バサミ実施例は上記のごとき構成からなるのであるから、上記第１の形態の竿バサミを用いると洗濯物を物干し竿と平行に懸架できるので洗濯物の片面全体に日光が当たり、また通気が良い状態となる。またズボンを干す時には縦方向に懸架できるので、従来のようにズボンの足に物干し竿を通す必要はない。また上記第２の形態の竿バサミを用いると靴下などの小さい洗濯物を重量バランスが安定した状態で懸架することができる。
【産業上の利用可能性】
【００２４】
本考案の竿バサミは既存の洗濯バサミをそのまま利用して製造できるので、新規の大きな投資を必要とせず、産業上の利用可能性が高い。
【符号の説明】
【００２５】
１０  洗濯バサミ付き竿バサミ本体
２０  竿バサミ部分  
２１  挟み片
２２  把持片  
２３  バネ  
２４  バネ２３の背中部分  
３０  洗濯バサミ部分  
３１  挟み片  
３２  把持片  
３３  バネ
３４  バネ３３の背中部分
４０  リング
５０  洗濯バサミ付き竿バサミ本体
６０  竿バサミ部分
６１  挟み片
６２  把持片
６３  把持片６２に設けられた孔
６４  バネ
７０  洗濯バサミ部分
７１  挟み片
７２  把持片
７３  バネ
７４  バネ７３の背中部分
８０  リング
【図１】
0003154191.tif 000003
【図２】
0003154191.tif 000004
【図３】
0003154191.tif 000005
【図４】
0003154191.tif 000006